(57)【特許請求の範囲】
【請求項１】
データが複数のキャリアに分割されて割り当てられており、前記複数のキャリアを用いて前記データを基地局と送受信する移動端末であって、
各キャリアにおける通信状態を監視する監視部と、
前記複数のキャリアのうち、前記通信状態が最も劣化した劣化キャリアの通信状態と、他のキャリアの通信状態との差が閾値以上であるか否かを判定する判定部と、
前記判定部によって前記劣化キャリアの通信状態と前記他のキャリアの通信状態との差が閾値以上であると判定された場合、前記劣化キャリアを用いている基地局に対して、該劣化キャリアを切断するように通知する通知部と、
を具備することを特徴とする移動端末。
【請求項２】
データが複数のキャリアに分割されて割り当てられており、前記複数のキャリアを用いて前記データを移動端末と送受信する通信制御装置であって、
各キャリアにおける通信状態を監視する監視部と、
前記複数のキャリアのうち、前記通信状態が最も劣化した劣化キャリアの通信状態と、他のキャリアの通信状態との差が閾値以上であるか否かを判定する判定部と、
前記判定部によって前記劣化キャリアの通信状態と前記他のキャリアの通信状態との差が閾値以上であると判定された場合、前記劣化キャリアを切断するキャリア切断部と、
を具備することを特徴とする通信制御装置。
【請求項３】
データが複数のキャリアに分割されて割り当てられており、前記複数のキャリアを用いて前記データを移動端末と通信制御装置との間で送受信する通信方法であって、
各キャリアにおける通信状態を監視するステップと、
前記複数のキャリアのうち、前記通信状態が最も劣化した劣化キャリアの通信状態と、他のキャリアの通信状態との差が閾値以上であるか否かを判定するステップと、
前記劣化キャリアの通信状態と前記他のキャリアの通信状態との差が閾値以上であると判定された場合、前記劣化キャリアを切断するステップと、
を有することを特徴とする通信方法。
【発明の詳細な説明】
【技術分野】
【０００１】
本発明は、複数のキャリアを用いてデータの通信を行う移動端末、通信制御装置及び通信方法に関する。
【背景技術】
【０００２】
符号分割多元接続（ＣＤＭＡ）を用いた移動体通信ネットワークでは、高速なデータ通信を実現する1xEV-DO（1x evolution - data only）が提供されている（例えば、特許文献１）。
【０００３】
1xEV-DOでは、一つのキャリアが一つのユーザ（移動端末）に割り当てられる。また、複数のキャリア（例えば、３キャリア）を一つのユーザに割り当てることによって、さらに高速なデータ通信を実現する、いわゆる“マルチキャリア”（nxEV-DO）の導入も検討されている。
【０００４】
かかるマルチキャリアでは、送信側装置がデータを分割して複数のキャリアに割り当てて送信し、受信側装置が複数のキャリアを介して受信したデータを結合することによって、高速なデータ通信を実現する。
【特許文献１】特開２００２−３００６４４号公報（第２−３頁、第１図）
【発明の開示】
【発明が解決しようとする課題】
【０００５】
しかしながら、マルチキャリアでは、あるキャリアが十分な帯域を確保でき良い通信状態で通信することが可能であっても、他のキャリアでは十分な帯域を確保できず劣悪な通信状態での通信を余儀なくされる場合がある。
【０００６】
かかる場合、マルチキャリアでは、データが複数のキャリアに分割されて割り当てられるため、劣悪な通信状態のキャリアに割り当てられたデータが、他の良い通信状態のキャリアに割り当てられたデータに比べて遅延するという問題がある。
【０００７】
特に、ストリーミング、ＩＰ電話、ＩＰテレビ電話等の高いＱｏＳ（Quality of Service）が要求され遅延にシビアなデータが複数のキャリアに分割されて割り当てられる場合、あるキャリアにおいてデータが極端に遅延すると、受信側装置は、他のキャリアにおいて遅延なくデータを受信できても、データを結合することができず待ち時間が長くなり、映像や音声を滑らかに再生できなくなるという問題があった。
【０００８】
そこで、本発明は、以上の点に鑑みてなされたもので、データが複数のキャリアに分割されて割り当てられるマルチキャリアにおいて、極端に通信状態が劣化したキャリアによって、データが遅延するのを防止することができる移動端末、通信制御装置及び通信方法を提供することを目的とする。
【課題を解決するための手段】
【０００９】
本発明の第１の特徴は、データが複数のキャリアに分割されて割り当てられており、前記複数のキャリアを用いて前記データを基地局と送受信する移動端末であって、各キャリアにおける通信状態を監視する監視部と、前記複数のキャリアのうち、前記通信状態が最も劣化した劣化キャリアの通信状態と、他のキャリアの通信状態との差が閾値以上であるか否かを判定する判定部と、前記判定部によって前記劣化キャリアの通信状態と前記他のキャリアの通信状態との差が閾値以上であると判定された場合、前記劣化キャリアを用いている基地局に対して、該劣化キャリアを切断するように通知する通知部とを具備する移動端末であることを要旨とする。
【００１０】
かかる特徴によれば、移動端末は、データを送受信する複数のキャリアのうち、極端に通信状態が劣化したキャリアを検出することができる。そして、移動端末は、かかるキャリアを基地局に切断させることによって、データが遅延するのを防止することができる。
【００１１】
本発明の第１の特徴において、前記通信状態は、各キャリアによって伝送される下りデータの下りスループットであり、前記劣化キャリアは、前記下りスループットが最も低いキャリアであってもよい。
【００１２】
かかる特徴によれば、移動端末は、各キャリアによって伝送される下りデータの下りスループットが低いキャリアにおいて、下り方向の通信状態が劣化していると推定することができる。そして、移動端末は、極端に下りスループットが低いキャリアを検出し、基地局に切断させることによって、データが遅延するのを防止することができる。
【００１３】
本発明の第１の特徴において、前記通信状態は、各キャリアの送信電力であり、前記劣化キャリアは、前記送信電力が最も高いキャリアであってもよい。
【００１４】
かかる特徴によれば、移動端末は、各キャリアの送信電力が高いキャリアにおいて、上り方向の通信状態が劣化していると推定することができる。そして、移動端末は、極端に送信電力が高いキャリアを検出し、基地局に切断させることによって、データが遅延するのを防止することができる。
【００１５】
本発明の第２の特徴は、データが複数のキャリアに分割されて割り当てられており、前記複数のキャリアを用いて前記データを移動端末と送受信する通信制御装置であって、各キャリアにおける通信状態を監視する監視部と、前記複数のキャリアのうち、前記通信状態が最も劣化した劣化キャリアの通信状態と、他のキャリアの通信状態との差が閾値以上であるか否かを判定する判定部と、前記判定部によって前記劣化キャリアの通信状態と前記他のキャリアの通信状態との差が閾値以上であると判定された場合、前記劣化キャリアを切断するキャリア切断部とを具備する通信制御装置であることを要旨とする。
【００１６】
かかる特徴によれば、通信制御装置は、データを送受信する複数のキャリアのうち、極端に通信状態が劣化したキャリアを検出することができる。そして、通信制御装置は、かかるキャリアを切断することによって、データが遅延するのを防止することができる。
【００１７】
本発明の第２の特徴において、前記通信制御装置は、前記移動端末おける各キャリアの受信状態に基づいて予測された各キャリアの下りデータ通信速度を受信する受信部を更に具備し、前記通信状態は、各キャリアの前記下りデータ通信速度であり、前記劣化キャリアは、前記下りデータ通信速度が最も低いキャリアであってもよい。
【００１８】
かかる特徴によれば、通信制御装置は、移動端末おける各キャリアの受信状態に基づいて予測された各キャリアの下りデータ通信速度が低いキャリアにおいて、下り方向の通信状態が劣化していると推定することができる。そして、通信制御装置は、極端に下りデータ通信速度が低いキャリアを検出し、切断することによって、データが遅延するのを防止することができる。
【００１９】
本発明の第２の特徴において、前記通信状態は、各キャリアによって伝送される上りデータの上りスループットであり、前記劣化キャリアは、前記上りスループットが最も低いキャリアであってもよい。
【００２０】
かかる特徴によれば、通信制御装置は、各キャリアによって伝送される上りデータの上りスループットが低いキャリアにおいて、上り方向の通信状態が劣化していると推定することができる。そして、通信制御装置は、極端に上りスループットが低いキャリアを検出し、切断することによって、データが遅延するのを防止することができる。
【００２１】
本発明の第３の特徴は、データが複数のキャリアに分割されて割り当てられており、前記複数のキャリアを用いて前記データを移動端末と通信制御装置との間で送受信する通信方法であって、各キャリアにおける通信状態を監視するステップと、前記複数のキャリアのうち、前記通信状態が最も劣化した劣化キャリアの通信状態と、他のキャリアの通信状態との差が閾値以上であるか否かを判定するステップと、前記劣化キャリアの通信状態と前記他のキャリアの通信状態との差が閾値以上であると判定された場合、前記劣化キャリアを切断するステップとを有する通信方法であることを要旨とする。
【００２２】
本発明の第３の特徴において、前記通信状態は、各キャリアによって伝送される下りデータの下りスループットであり、前記劣化キャリアは、前記下りスループットが最も低いキャリアであってもよい。
【００２３】
本発明の第３の特徴において、前記通信状態は、前記移動端末における各キャリアの送信電力であり、前記劣化キャリアは、前記送信電力が最も高いキャリアであってもよい。
【００２４】
本発明の第３の特徴において、前記通信制御装置が、前記移動端末おける各キャリアの受信状態に基づいて予測された各キャリアの下りデータ通信速度を受信するステップを更に有し、前記通信状態は、各キャリアの前記下りデータ通信速度であり、前記劣化キャリアは、前記下りデータ通信速度が最も低いキャリアであってもよい。
【００２５】
本発明の第３の特徴において、前記通信状態は、各キャリアによって伝送される上りデータの上りスループットであり、前記劣化キャリアは、前記上りスループットが最も低いキャリアであってもよい。
【発明の効果】
【００２６】
以上説明したように、本発明によれば、データが複数のキャリアに分割されて割り当てられるマルチキャリアにおいて、極端に通信状態が劣化したキャリアによって、データが遅延するのを防止することができる移動端末、通信制御装置及び通信方法を提供することができる。
【発明を実施するための最良の形態】
【００２７】
〔本発明の第１実施形態に係る移動体通信システム〕
本発明の第１実施形態では、極端に通信状態が劣化したキャリアを移動端末主導で切断するように構成されている移動体通信システムについて説明する。ここで、移動端末は、携帯電話や、無線モジュールや、カード端末等であってもよい。
【００２８】
（本発明の第１実施形態に係る移動体通信システムの全体概略構成）
図１は、本発明の第１実施形態に係る移動端末を含む移動体通信システムの全体概略構成図である。
【００２９】
移動体通信システム１０は、複数のキャリアを用いるマルチキャリアによって、高速なデータ通信（nxEV-DO）を提供する。
【００３０】
移動体通信システム１０は、移動端末１００と、複数の基地局２００（基地局２００Ａ〜２００Ｃ）と、基地局制御装置３００と、パケット制御装置４００と、中継局５００と、ネットワーク６００と、移動端末１００及び基地局２００Ａ〜２００Ｃとを接続するキャリアＣ１〜Ｃ３とによって構成されている。なお、移動体通信システム１０に含まれる移動端末及び基地局及びキャリアの数量は、図１に示す数量に限定されるものではない。
【００３１】
また、図１では、１つのキャリアに対して１つの基地局２００が接続されているが、複数のキャリアに対して１つの基地局２００が接続されていてもよい。すなわち、キャリアＣ１〜Ｃ３が全て基地局２００Ａに接続されてもよく、キャリアＣ１、Ｃ２が基地局２００Ａ、キャリアＣ３が基地局２００Ｂのように接続されてもよい。
【００３２】
移動体通信システム１０において、移動端末１００と基地局２００と間におけるデータは複数のキャリア（図１では、キャリアＣ１〜Ｃ３）に分割されて割り当てられており、移動端末１００や基地局２００は、当該複数のキャリアを用いて当該データ（パケット）を送受信する。
【００３３】
具体的には、移動体通信システム１０では、図２に示すように、下りデータが送信される。図２は、移動体通信システム１０における下りデータの流れを示す図である。
【００３４】
図２に示すように、パケット制御装置４００は、ネットワーク６００から中継局５００を介して下りデータを受信し（（１））、基地局制御装置３００を介して該下りデータを分割し（（２）、（３）、（４））、キャリアＣ１〜Ｃ３に割り当てる。
【００３５】
基地局２００Ａ〜２００Ｃは、キャリアＣ１〜Ｃ３を用いて当該下りデータをそれぞれ移動端末１００に送信する（（５）、（６）、（７））。
【００３６】
移動端末１００は、キャリアＣ１〜Ｃ３によって伝送された下りデータを結合する。
【００３７】
また、移動体通信システム１０では、図３に示すように、上りデータが送信される。図３は、移動体通信システム１０における上りデータの流れを示す図である。
【００３８】
図３に示すように、移動端末１００は、上りデータを分割し（（１）、（２）、（３））キャリアＣ１〜Ｃ３に割り当て、基地局２００Ａ〜２００Ｃに送信する。
【００３９】
基地局２００Ａ〜２００Ｃは、キャリアＣ１〜Ｃ３によって伝送された上りデータを受信し、該上りデータをそれぞれ基地局制御装置３００へ送信する（（４）、（５）、（６））。
【００４０】
パケット制御装置４００は、基地局制御装置３００を介して受信した上りデータを結合し（（７））、結合した上りデータを、中継局５００を介してネットワーク６００に送信する。
【００４１】
ここで、パケット制御装置４００は、基地局制御装置３００及び中継局５００に接続されているが、かかる位置に限定されるものではない。
【００４２】
（本発明の第１実施形態に係る移動端末の機能ブロック構成）
図４を参照し、移動体通信システム１０を構成する移動端末１００の機能ブロック構成について説明する。
【００４３】
なお、以下、本発明との関連がある部分について主に説明する。したがって、移動端末１００は、当該装置としての機能を実現する上で必須な、図示しない或いは説明を省略した機能ブロック（電源部など）を備える場合があることに留意されたい。
【００４４】
図４は、移動端末１００の機能ブロック構成図である。
【００４５】
図４に示すように、移動端末１００は、送受信部１１０と、監視部１２０と、判定部１３０と、キャリア制御部１４０と、パケット通信部１５０とを備える。
【００４６】
送受信部１１０は、後述するパケット通信部１５０において複数のキャリアに割り当てられたデータを、当該複数のキャリアを用いて基地局２００に送信する。
【００４７】
また、送受信部１１０は、複数のキャリアによってそれぞれ伝送された下りデータを受信する。
【００４８】
監視部１２０は、移動端末１００に割り当てられている各キャリアにおける通信状態を監視する。
【００４９】
また、監視部１２０は、下り方向における各キャリアにおける通信状態として、各キャリアによって伝送される下りデータの下りスループットを監視してもよい。
【００５０】
また、監視部１２０は、上り方向における各キャリアにおける通信状態として、各キャリアの送信電力を監視してもよい。
【００５１】
判定部１３０は、監視部１２０によって通信状態が監視されている複数のキャリアのうち、通信状態が最も劣化したキャリア（劣化キャリア）の通信状態と、他のキャリアの通信状態との差が閾値以上であるか否かを判定する。
【００５２】
また、判定部１３０は、監視部１２０によって下りスループットが監視されている複数のキャリアのうち、下りスループットが最も低いキャリアを劣化キャリアとし、当該劣化キャリアの下りスループットと、他のキャリアの下りスループットとの差が閾値以上であるか否かを判定してもよい。
【００５３】
また、判定部１３０は、監視部１２０によって送信電力が監視されている複数のキャリアのうち、送信電力が最も高いキャリアを劣化キャリアとし、当該劣化キャリアの送信電力と、他のキャリアの送信電力との差が閾値以上であるか否かを判定してもよい。
【００５４】
また、判定部１３０は、上述の差が閾値以上である場合、劣化キャリアを切断するようにキャリア制御部１４０に指示する。
【００５５】
キャリア制御部１４０は、基地局２００に対して、キャリアの接続や切断を要求する。
【００５６】
具体的には、キャリア制御部１４０は、判定部１３０によって上述の劣化キャリアを切断するように指示された場合、当該劣化キャリアを用いている基地局に対して、当該キャリアを切断するように通知する。
【００５７】
パケット通信部１５０は、複数のキャリアによって伝送された下りデータを結合する。
【００５８】
また、パケット通信部１５０は、上りデータを分割し、複数のキャリアに割り当てる。
【００５９】
（本発明の第１実施形態に係る移動体通信システムの動作）
次に、図５乃至図６を参照し、上述した移動体通信システム１０の動作について説明する。具体的には、移動端末１００が、基地局２００Ａ〜２００Ｃと接続する動作（１）と、極端に通信状態が劣化したキャリアが移動端末１００主導で切断される動作（２）について説明する。
【００６０】
（１） キャリア接続シーケンス
図５は、移動端末１００が基地局２００Ａ〜２００Ｃとそれぞれキャリアを接続する際のシーケンス図である。
【００６１】
図５に示すように、ステップＳ１０１において、移動端末１００は、基地局２００Ａとの接続を要求するConnectionReqメッセージを送信する。
【００６２】
ステップＳ１０２において、基地局２００Ａは、基地局２００Ａとのデータ通信を許可するAckメッセージを移動端末１００に送信する。
【００６３】
ステップＳ１０３において、基地局２００Ａは、トラフィックチャネル（T-CH）を割り当てるT-CH Assignmentメッセージを移動端末１００に送信する。
【００６４】
ステップＳ１０４において、移動端末１００の端末認証／ユーザ認証等が行われる。
【００６５】
ステップＳ１０５において、基地局２００Ａ及び移動端末１００は、通信設定を実行し、設定されたキャリアＣ１を用いて、データ（パケット）通信を開始する。
【００６６】
ステップＳ１０６〜ステップＳ１０９において、移動端末１００は、上述の基地局２００Ａとの接続ステップと同様に、基地局２００ＢとのキャリアＣ２を接続する。
【００６７】
ステップＳ１１０〜ステップＳ１１３において、移動端末１００は、基地局２００Ａとの接続ステップと同様に、基地局２００ＣとのキャリアＣ３を接続する。
【００６８】
（２） キャリア切断シーケンス（端末主導）
図６は、極端に通信状態が劣化したキャリアが移動端末１００主導で切断されるシーケンス図である。
【００６９】
ステップＳ２０１〜ステップＳ２０３において、移動端末１００は、基地局２００Ａ〜２００ＣとそれぞれキャリアＣ１〜Ｃ３を接続し、データ（パケット）通信を行っている。
【００７０】
ステップＳ２０４において、移動端末１００と基地局２００Ｃとの間のキャリア（キャリアＣ３）において、通信状態の劣化が発生する。かかる場合、移動端末１００によって監視されているキャリアＣ１〜Ｃ３のうち、キャリアＣ３の通信状態が最も劣化しているものとする。
【００７１】
なお、キャリアＣ１〜Ｃ３の通信状態とは、各キャリアによって伝送される下りデータの下りスループットであってもよく、かかる場合、キャリアＣ３によって伝送される下りスループットが最も低いものとする。また、キャリアＣ１〜Ｃ３の通信状態とは、移動端末１００における各キャリアの送信電力であってもよく、かかる場合、キャリアＣ３の送信電力が最も高いものとする。
【００７２】
ステップＳ２０５において、移動端末１００は、キャリアＣ３における上述の通信状態の極端な劣化を検出する。
【００７３】
具体的には、移動端末１００は、最も通信状態が劣化しているキャリアＣ３の通信状態と、その他のキャリアＣ１、Ｃ２の通信状態との差が閾値以上である否かを判定し、当該差が閾値以上である場合、キャリアＣ３の通信状態が極端に通信状態が劣化しているとみなす。
【００７４】
かかる場合、移動端末１００は、キャリアＣ３によって、データが遅延するのを防止するために、キャリアＣ３を切断することを決定する。
【００７５】
ステップＳ２０６において、移動端末１００は、キャリアＣ３を切断することを要求するConnection Closeメッセージを基地局２００Ｃに送信する。
【００７６】
ステップＳ２０７において、基地局２００Ｃは、移動端末１００からのConnection Closeメッセージを受信し、キャリアＣ３を切断する。
【００７７】
ステップＳ２０８、Ｓ２０９において、移動端末１００は、基地局２００Ａ〜２００ＢとのキャリアＣ１，Ｃ２のみによってデータ（パケット）通信を行う。
【００７８】
（本発明の第１実施形態に係る移動体通信システムの作用・効果）
本発明の第１実施形態に係る移動体通信システムによれば、移動端末１００は、データを送受信する複数のキャリアのうち、極端に通信状態が劣化したキャリアを検出することができる。そして、移動端末１００は、かかるキャリアを基地局２００に切断させることによって、データが遅延するのを防止することができる。
【００７９】
本発明の第１実施形態に係る移動体通信システムによれば、移動端末１００は、各キャリアによって伝送される下りデータの下りスループットが低いキャリアにおいて、下り方向の通信状態が劣化していると推定することができる。そして、移動端末１００は、極端に下りスループットが低いキャリアを検出し、基地局２００に切断させることによって、データが遅延するのを防止することができる。
【００８０】
本発明の第１実施形態に係る移動体通信システムによれば、移動端末１００は、各キャリアの送信電力が高いキャリアにおいて、上り方向の通信状態が劣化していると推定することができる。そして、移動端末１００は、極端に送信電力が高いキャリアを検出し、基地局２００に切断させることによって、データが遅延するのを防止することができる。
【００８１】
〔本発明の第２実施形態に係る移動体通信システム〕
本発明の第２実施形態では、極端に通信状態が劣化したキャリアを通信制御装置主導で切断するように構成されている移動体通信システムについて説明する。ここで、通信制御装置は、基地局であっても、基地局制御装置であってもよい。
【００８２】
以下、本発明の第２実施形態に係る移動体通信システムについて、上述の第１実施形態に係る移動体通信システムとの相違点を主として説明する。
【００８３】
（本発明の第２実施形態に係る基地局（通信制御装置）の機能ブロック構成）
図７は、基地局２００の機能ブロック構成図である。なお、基地局２００Ａ〜２００Ｃは、全て同様の機能ブロック構成を有する。
【００８４】
図７に示すように、基地局２００は、送受信部２１０と、監視部２２０と、判定部２３０と、キャリア制御部２４０と、パケット通信部２５０とを備える。
【００８５】
送受信部２１０は、後述するパケット通信部２５０において複数のキャリアに割り当てられたデータを、当該複数のキャリアを用いて移動端末１００に送信する。
【００８６】
また、送受信部２１０は、複数のキャリアによってそれぞれ伝送された上りデータを受信する。
【００８７】
また、送受信部２１０は、移動端末１００における各キャリアの受信状態に基づいて予測された各キャリアの下りデータ通信速度（ＤＲＣ値：Data Rate Control）を受信する。
【００８８】
監視部２２０は、移動端末１００に割り当てられている各キャリアにおける通信状態を監視する。
【００８９】
また、監視部２２０は、下り方向における各キャリアにおける通信状態として、送受信部２１０によって受信された各キャリアの下りデータ通信速度（ＤＲＣ値）を監視してもよい。
【００９０】
また、監視部２２０は、上り方向における各キャリアにおける通信状態として、各キャリアによって伝送される上りデータの上りスループットを監視してもよい。
【００９１】
判定部２３０は、監視部２２０によって通信状態が監視されている複数のキャリアのうち、通信状態が最も劣化したキャリア（劣化キャリア）の通信状態と、他のキャリアの通信状態との差が閾値以上であるか否かを判定する。
【００９２】
また、判定部２３０は、監視部１２０によって下りデータ通信速度（ＤＲＣ値）が監視されている複数のキャリアのうち、下りデータ通信速度（ＤＲＣ値）が最も低いキャリアを劣化キャリアとし、当該劣化キャリアの下りデータ通信速度（ＤＲＣ値）と、他のキャリアの下りデータ通信速度（ＤＲＣ値）の差が閾値以上であるか否かを判定してもよい。
【００９３】
また、判定部２３０は、監視部２２０によって上りスループットが監視されている複数のキャリアのうち、上りスループットが最も低いキャリアを劣化キャリアとし、当該劣化キャリアの上りスループットと、他のキャリアの上りスループットとの差が閾値以上であるか否かを判定してもよい。
【００９４】
また、判定部２３０は、上述の差が閾値以上である場合、劣化キャリアを切断するようにキャリア制御部２４０に指示する。
【００９５】
キャリア制御部２４０は、移動端末１００とのキャリアを接続又は切断するための制御を行う。
【００９６】
具体的には、キャリア制御部２４０は、判定部２３０によって上述の劣化キャリアを切断するように指示された場合、当該劣化キャリアを用いている基地局に対して、当該キャリアを切断する。
【００９７】
パケット通信部２５０は、基地局制御装置３００から受信した複数のチャネル用に分割されたデータを複数のキャリアに割り当てる。
【００９８】
また、パケット通信部２５０は、複数のチャネルを介して受信した上りデータを基地局制御装置３００に中継する。
【００９９】
（本発明の第２実施形態に係る移動体通信システムの動作）
次に、図８乃至図９を参照して、上述した移動体通信システム１０の動作について説明する。
【０１００】
（１） キャリア切断シーケンス（通信制御装置主導１）
図８は、極端に通信状態が劣化したキャリアが基地局２００（通信制御装置）主導で切断されるシーケンス図である。
【０１０１】
ステップＳ３０１において、移動端末１００は、基地局２００ＡとキャリアＣ１を接続し、データ（パケット）通信を行っている。
【０１０２】
ステップＳ３０２〜Ｓ３０３において、移動端末１００は、基地局２００ＣとキャリアＣ２、Ｃ３を接続し、データ（パケット）通信を行っている。ここで、移動端末１００は、基地局２００Ｂとはキャリアを接続していない。かかる実施例におけるキャリア切断シーケンスは、移動端末１００が、１つの基地局（基地局２００Ｃ）と複数のキャリア（キャリアＣ２，Ｃ３）で接続される場合に適用されるものとする。
【０１０３】
ステップＳ３０４において、移動端末１００と基地局２００Ｃとの間のキャリア（キャリアＣ３）において、通信状態の劣化が発生する。かかる場合、移動端末１００によって監視されているキャリアＣ１〜Ｃ３のうち、キャリアＣ３の通信状態が最も劣化しているものとする。
【０１０４】
なお、キャリアＣ１〜Ｃ３の通信状態とは、上述のように、各キャリアの下りデータ通信速度（ＤＲＣ値）であってもよく、かかる場合、キャリアＣ３の下りデータ通信速度（ＤＲＣ値）が最も低いものとする。また、キャリアＣ１〜Ｃ３の通信状態とは、上述のように、各キャリアによって伝送される上りデータの上りスループットであってもよく、かかる場合、キャリアＣ３によって伝送される上りのスループットが最も低いものとする。
【０１０５】
ステップＳ３０５において、移動端末１００と複数のキャリアで接続されている基地局２００Ｃは、キャリアＣ３における上述の通信状態の極端な劣化を検出する。
【０１０６】
具体的には、基地局２００Ｃは、最も通信状態が劣化しているキャリアＣ３の通信状態と、その他のキャリアＣ２の通信状態との差が閾値以上である否かを判定し、当該差が閾値以上である場合、キャリアＣ３の通信状態が極端に通信状態が劣化しているとみなす。
【０１０７】
かかる場合、基地局２００Ｃは、キャリアＣ３によって、データが遅延するのを防止するために、キャリアＣ３を切断することを決定する。
【０１０８】
ステップＳ３０６において、基地局２００Ｃは、キャリアＣ３を切断する。
【０１０９】
ステップＳ３０７、Ｓ３０８において、移動端末１００は、基地局２００Ａ、２００ＣとのキャリアＣ１，Ｃ２のみによってデータ（パケット）通信を行う。
【０１１０】
（２） キャリア切断シーケンス（通信制御装置主導２）
図９は、極端に通信状態が劣化したキャリアが基地局制御装置３００（通信制御装置）主導で切断されるシーケンス図である。
【０１１１】
かかる実施例におけるキャリア切断シーケンスが適用される場合、基地局２００Ａ〜２００Ｃの上位に位置する基地局制御装置３００には、上述の基地局２００の監視部２２０及び判定部２３０が具備されているものとする。
【０１１２】
ステップＳ４０１〜ステップＳ４０３において、移動端末１００は、基地局２００Ａ〜２００ＣとそれぞれキャリアＣ１〜Ｃ３を接続し、データ（パケット）通信を行っている。
【０１１３】
かかる実施例におけるキャリア切断シーケンスは、移動端末１００が、１つの基地局と１つのキャリアそれぞれで接続される場合に適用されるものとする。
【０１１４】
ステップＳ４０４において、移動端末１００と基地局２００Ｃとの間のキャリア（キャリアＣ３）において、通信状態の劣化が発生する。かかる場合、移動端末１００によって監視されているキャリアＣ１〜Ｃ３のうち、キャリアＣ３の通信状態が最も劣化しているものとする。
【０１１５】
なお、キャリアＣ１〜Ｃ３の通信状態とは、上述のように、各キャリアの下りデータ通信速度（ＤＲＣ値）であってもよく、かかる場合、キャリアＣ３の下りデータ通信速度（ＤＲＣ値）が最も低いものとする。また、キャリアＣ１〜Ｃ３の通信状態とは、上述のように、各キャリアによって伝送される上りデータの上りスループットであってもよく、かかる場合、キャリアＣ３によって伝送される上りのスループットが最も低いものとする。
【０１１６】
ステップＳ４０５において、基地局制御装置３００は、キャリアＣ３における上述の通信状態の極端な劣化を検出する。
【０１１７】
具体的には、基地局制御装置３００は、最も通信状態が劣化しているキャリアＣ３の通信状態と、その他のキャリアＣ２の通信状態との差が閾値以上である否かを判定し、当該差が閾値以上である場合、キャリアＣ３の通信状態が極端に通信状態が劣化しているとみなす。
【０１１８】
かかる場合、基地局制御装置３００は、キャリアＣ３によって、データが遅延するのを防止するために、キャリアＣ３を切断することを決定する。
【０１１９】
ステップＳ４０６において、基地局制御装置３００は、キャリアＣ３を切断するように、基地局２００Ｃに指示する。
【０１２０】
ステップＳ４０８、Ｓ４０９において、移動端末１００は、基地局２００Ａ〜２００ＢとのキャリアＣ１，Ｃ２のみによってデータ（パケット）通信を行う。
【０１２１】
（本発明の第２実施形態に係る移動体通信システムの作用・効果）
本発明の第２実施形態に係る移動体通信システムによれば、基地局２００又は基地局制御装置３００（通信制御装置）は、データを送受信する複数のキャリアのうち、極端に通信状態が劣化したキャリアを検出することができる。そして、基地局２００又は基地局制御装置３００（通信制御装置）は、かかるキャリアを切断することによって、データが遅延するのを防止することができる。
【０１２２】
本発明の第２実施形態に係る移動体通信システムによれば、基地局２００又は基地局制御装置３００（通信制御装置）は、移動端末１００おける各キャリアの受信状態に基づいて予測された各キャリアの下りデータ通信速度が低いキャリアにおいて、下り方向の通信状態が劣化していると推定することができる。そして、基地局２００又は基地局制御装置３００（通信制御装置）は、極端に下りデータ通信速度が低いキャリアを検出し、切断することによって、データが遅延するのを防止することができる。
【０１２３】
本発明の第２実施形態に係る移動体通信システムによれば、基地局２００又は基地局制御装置３００（通信制御装置）は、各キャリアによって伝送される上りデータの上りスループットが低いキャリアにおいて、上り方向の通信状態が劣化していると推定することができる。そして、基地局２００又は基地局制御装置３００（通信制御装置）は、極端に上りスループットが低いキャリアを検出し、切断することによって、データが遅延するのを防止することができる。
【０１２４】
〔第１・第２実施形態に係る移動体通信システムの作用・効果〕
以下、図１０及び図１１を参照し、第１・第２実施形態に係る移動体通信システムについて、極端に通信状態が劣化したキャリアによって、データが遅延するのを防止する効果について具体的に説明する。
【０１２５】
なお、図１０、図１１では、「通信状態」を各キャリアによって伝送される下りデータの下りスループットとする例について説明するが、第１・第２実施形態に係る他の例でも同様の効果を生ずる。
【０１２６】
また、図１０、図１１は、移動端末が３Ｍｂｐｓのストリーミング映像を要求する場合を想定する。
【０１２７】
図１０に示すように、３Ｍｂｐｓのストリーミングデータが複数のキャリア（キャリアＣ１〜Ｃ３）に等分に分割され割り当てられる場合、１つのキャリアあたりに必要な下りスループットは１Ｍｂｐｓである。
【０１２８】
かかるストリーミングデータが１００Ｋｂｐｓのパケット単位で伝送されるとすると、３Ｍｂｐｓのストリーミングデータ（１秒間に３０パケット）がキャリアＣ１〜Ｃ３に等分に割り当てられるため、キャリアＣ１〜Ｃ３は１秒間に１０パケットを伝送することを要求される。
【０１２９】
しかしながら、図１０に示すように、通信状態の劣化等により、キャリアＣ３の下りスループットが２００Ｋｂｐｓに低下する場合、キャリアＣ３では１秒間に２個のパケットのみしか伝送できない。
【０１３０】
かかる場合、図１０に示すように、従来の移動体通信システムでは、移動端末は、１秒分のストリーミングデータ（３０パケット）を受信するのに、通信状態の劣化したキャリアＣ３のパケットが遅延していることから、５秒間バッファリングをする必要があった。
【０１３１】
したがって、従来の移動体通信システムでは、キャリアＣ３におけるデータの遅延によって、移動端末は、キャリアＣ１、Ｃ２において遅延なくデータを受信できても、データを結合することができず待ち時間が長くなり、映像や音声を滑らかに再生できなくなるという問題があった。
【０１３２】
一方、本発明に係る移動体通信システムにおいては、図１１に示すように、キャリアＣ３の下りスループットが他のキャリアＣ２、Ｃ３の下りスループットと比較して極端に低い場合、キャリアＣ３を切断し、キャリアＣ３に割り当てられたパケットを他のキャリアＣ２、Ｃ３に割り当てる。
【０１３３】
その結果、本発明に係る移動体通信システムでは、移動端末は、１秒分のストリーミングデータ（３０パケット）を受信するのに、１ＭｂｐｓのキャリアＣ１、Ｃ２において遅延なくデータを受信できるため、１．５秒のバッファリングをすればよい。
【０１３４】
したがって、本発明に係る移動体通信システムでは、データが複数のキャリアに分割されて割り当てられるマルチキャリアにおいて、極端に通信状態が劣化したキャリアによって、データが遅延するのを防止することができる。
【０１３５】
〔その他の実施形態〕
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【０１３６】
例えば、上述した監視部１２０、２２０及び判定部１３０、１４０の機能は、通信装置やコンピュータにおいて実行可能なプログラムとしても提供することができる。
【０１３７】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【０１３８】
【図１】本発明の実施形態に係る通信システムの全体概略図である。
【図２】本発明の実施形態に係る移動体通信システムにおける下りパケットの流れを示す図である。
【図３】本発明の実施形態に係る移動体通信システムにおける上りパケットの流れを示す図である。
【図４】本発明の実施形態に係る移動端末の機能ブロック図である。
【図５】本発明の実施形態に係る移動体通信システムにおける移動端末と基地局間のキャリア接続シーケンスである。
【図６】本発明の実施形態に係る通信システムにおける端末主導のキャリア切断シーケンスである。
【図７】本発明の実施形態に係る基地局の機能ブロック図である。
【図８】本発明の実施形態に係る移動体通信システムにおける基地局主導のキャリア切断シーケンスである。（パターン１）
【図９】本発明の実施形態に係る移動体通信システムにおける基地局主導のキャリア切断シーケンスである。（パターン２）
【図１０】従来の移動体通信システムにおけるデータの遅延を説明するためのである。
【図１１】本発明の実施形態に係る通信システムにおけるデータの遅延防止効果を説明するためのである。
【符号の説明】
【０１３９】
１００…移動端末
１１０…送受信部
１２０…監視部
１３０…判定部
１４０…キャリア制御部
１５０…パケット通信部
２００（２００Ａ〜２００Ｃ）…基地局
２１０…送受信部
２２０…監視部
２３０…判定部
２４０…キャリア制御部
２５０…パケット通信部
３００…基地局制御装置
４００…パケット制御装置
５００…中継局
６００…ネットワーク
【図１】
0004832076.tif 000002
【図２】
0004832076.tif 000003
【図３】
0004832076.tif 000004
【図４】
0004832076.tif 000005
【図５】
0004832076.tif 000006
【図６】
0004832076.tif 000007
【図７】
0004832076.tif 000008
【図８】
0004832076.tif 000009
【図９】
0004832076.tif 000010
【図１０】
0004832076.tif 000011
【図１１】
0004832076.tif 000012